(57)【要約】【課題】電気錠システムを提供することを課題とする。【解決手段】第１の無線センシングユニットを各々備えた複数のモバイルデバイスが近接センシングして解錠することに供され、メッセージ管理サーバと電気錠とを含む電気錠システムであって、メッセージ管理サーバは、インターネットに接続する。電気錠は、第２の無線センシングユニットを含み、近接するモバイルデバイスの第１の無線センシングユニットをセンシング検証し、検証に成功した時解錠するために用いられる。近接するモバイルデバイスは、インターネットを経由して入室メッセージをメッセージ管理サーバに伝送し、メッセージ管理サーバが入室メッセージを受信した後、インターネットを経由してメッセージを電気錠に近接センシングするモバイルデバイスを除いた少なくとも１個のモバイルデバイスにプッシュ通知する。【選択図】図１
2016048023.tif 000002
【特許請求の範囲】
【請求項１】
第１の無線センシングユニットを各々備えた複数のモバイルデバイスが近接センシングして解錠することに供され、
インターネットに接続するメッセージ管理サーバと、
第２の無線センシングユニットを含み、近接する前記モバイルデバイスの前記第１の無線センシングユニットをセンシング検証し、検証に成功した時解錠するために用いられ、近接する前記モバイルデバイスは前記インターネットを経由して入室メッセージを前記メッセージ管理サーバに伝送し、前記メッセージ管理サーバが前記入室メッセージを受信した後、前記インターネットを経由してメッセージを近接する前記モバイルデバイスを除いた少なくとも１個の前記モバイルデバイスにプッシュ通知する電気錠と、を含むことを特徴とする、
電気錠システム。
【請求項２】
各前記モバイルデバイスは、管理アプリケーションプログラムを保存すると共に実行し、前記第１の無線センシングユニットを経由して登録メッセージを前記第２の無線センシングユニットに伝送し、前記電気錠が前記登録メッセージを保存して検証時の照合のために用いることを特徴とする請求項１に記載の電気錠システム。
【請求項３】
前記登録メッセージは、前記モバイルデバイスの国際移動体装置識別番号、或いは、個人識別番号を少なくとも含むことを特徴とする請求項２に記載の電気錠システム。
【請求項４】
前記複数のモバイルデバイスのうちのいずれかが親デバイスとなり、その他の前記モバイルデバイスを子デバイスとし、前記親デバイスが管理アプリケーションプログラムを保存すると共に実行することで、前記第１の無線センシングユニットを通じて前記子デバイスの登録メッセージをセンシングして読み取り、また、センシングして読み取った前記子デバイスとグループを形成することを特徴とする請求項１に記載の電気錠システム。
【請求項５】
前記登録メッセージには、前記子デバイスの国際移動体装置識別番号、或いは、個人識別番号を少なくとも含むことを特徴とする請求項４に記載の電気錠システム。
【請求項６】
前記通知メッセージは、近接センシングして解錠する前記モバイルデバイスの番号と解錠時刻とを含むことを特徴とする請求項１に記載の電気錠システム。
【請求項７】
前記入室メッセージは、少なくとも１名のプッシュ対象を含み、前記メッセージ管理サーバが前記プッシュ対象によって前記通知メッセージを対応する前記少なくとも１名のプッシュ対象の前記モバイルデバイスに送信することを特徴とする請求項１に記載の電気錠システム。
【請求項８】
前記プッシュ対象が、解錠時刻によって決定することを特徴とする請求項７に記載の電気錠システム。
【請求項９】
前記プッシュ対象が、近接センシングして解錠する前記モバイルデバイスによって決定することを特徴とする請求項７に記載の電気錠システム。
【発明の詳細な説明】
【技術分野】
【０００１】
本発明は、電気錠システムに関し、特に、ネットワークグループのプッシュサービスに適した電気錠システムに関する。
【背景技術】
【０００２】
ドア錠は、安全と便利性が重んじられ、時代の変遷に伴い、現在のドア錠は実物の鍵で開けるだけにとどまらず、カードのセンシング、生体認証等の技術を利用してドア錠を開けられるように徐々に発展してきている。電気錠の運用は、一般の人々にとっても極めて大きな利便性をもたらす。
【０００３】
しかしながら、実物の鍵、カード或いは生体認証等のいずれの技術によりドア錠をあけるかを問わず、いずれも完ぺきな記録及び自動お知らせ機能を有さない。例えば両親が外で仕事をしている場合、子供が下校から帰宅しても、決まった時間内に家に到着したかどうか心配になり、両親又は子供は、受動的に電話通信を通じて知得（両親は受動的に子供が帰宅した後に掛けてくる電話を受けるしかできない）し、この場合、自動通知或いはお知らせ機能が非常に重要なものとなる。このほか、モバイル通信の普及に伴い、多くの人々の家庭では室内の固定電話が取り付けられていることがなくなり、電話による通話でも子供が本当に在宅しているかどうか確認できず、また確実な帰宅時間も知ることができず、これら情報を記録として残し事後の調査や分析に備えることができないことはさらに論じるまでもない。完ぺきな解錠記録を利用者の記録として調査と取寄せに対し提供できない場合、警備上の事故が起きた場合に、追跡調査ができない。
【０００４】
よって、上記の一般的なドア錠に欠乏する、完ぺきな記録機能、メッセージの自動お知らせ機能を如何にして具え、警備の効率、安全及び利便性にも配慮し、家主及びその家族或いは警備員に速やかに状況を理解させ、初動対応の時間を短縮するかが、本願の発明者及び当業者にとって改良が急務な課題となっていた。
【発明の概要】
【発明が解決しようとする課題】
【０００５】
これに鑑み、本発明は、第１の無線センシングユニットを各々備えた複数のモバイルデバイスが近接センシングして解錠することに供され、メッセージ管理サーバと電気錠とを含む電気錠システムを提供する。
【課題を解決するための手段】
【０００６】
メッセージ管理サーバは、インターネットに接続する。電気錠は、第２の無線センシングユニットを含み、近接するモバイルデバイスの第１の無線センシングユニットをセンシング検証し、検証に成功した時解錠するために用いられる。近接するモバイルデバイスは、インターネットを経由して入室メッセージをメッセージ管理サーバに伝送し、メッセージ管理サーバが入室メッセージを受信した後、インターネットを経由して通知メッセージを電気錠に近接センシングするモバイルデバイスを除いた少なくとも１個のモバイルデバイスにプッシュ通知する。
【０００７】
一実施例において、各モバイルデバイスは管理アプリケーションプログラムを保存すると共に実行でき、第１の無線センシングユニットを経由して登録メッセージを第２の無線センシングユニットに伝送し、電気錠が登録メッセージを保存して検証時の照合のために用いられる。
【０００８】
一実施例において、登録メッセージは、モバイルデバイスの国際移動体装置識別番号（ＩＭＥＩ）或いは個人識別番号（ＰＩＮ  Ｃｏｄｅ）を少なくとも含む。
【０００９】
一実施例において、複数のモバイルデバイスのうちのいずれかが親デバイスとなり、その他のモバイルデバイスを子デバイスとし、親デバイスが管理アプリケーションプログラムを保存すると共に実行することで、第１の無線センシングユニットを通じて子デバイスの登録メッセージをセンシングして読み取り、またセンシングして読み取った子デバイスとグループを形成する。
【００１０】
一実施例において、登録メッセージには、子デバイスの国際移動体装置識別番号（ＩＭＥＩ）或いは個人識別番号（ＰＩＮ  Ｃｏｄｅ）を少なくとも含む。
【００１１】
一実施例において、通知メッセージは、近接センシングして解錠するモバイルデバイスの番号と解錠時刻とを含む。
【００１２】
一実施例において、入室メッセージは、少なくとも１名のプッシュ対象を含み、メッセージ管理サーバがプッシュ対象によって通知メッセージを対応する少なくとも１名のプッシュ対象のモバイルデバイスに送信する。
【００１３】
一実施例において、プッシュ対象が解錠時刻によって決定する。
【００１４】
一実施例において、プッシュ対象が近接センシングして解錠するモバイルデバイスによって決定する。
【発明の効果】
【００１５】
上記本発明の内容をまとめると、電気錠システムの設計を介して、解錠時の解錠者及び時点を含む情報を完ぺきに記録できる。メッセージをシステムで設定されたプッシュ対象に自動通知することで、警備情報の把握と利便性の増進を兼ね備え、プッシュ対象にメッセージ自動通知を通じて迅速に状況を理解させ、初動対応の時間を短縮し、上記従来技術の欠点を解決できる。
【００１６】
以下に、実施形態において本発明の詳細な特徴及び利点を詳述する。その内容は当業者に本発明の技術内容を十分理解させると共にこれをもって実施させることができる。且つ本明細書で開示される内容、特許請求の範囲及び図面に基づくことで、当業者も簡単に本発明に係る目的及び利点を理解できる。
【図面の簡単な説明】
【００１７】
【図１】本発明に係る電気錠システムの一実施例のシステム構成を示す模式図である。
【図２】本発明に係る電気錠システムの一実施例の使用様子を示す模式図である。
【発明を実施するための形態】
【００１８】
図１を参照する。
図１は、本発明に係る電気錠システムの一実施例のシステム構成を示す模式図である。複数のモバイルデバイス３は、第１の無線センシングユニット（図示略）を各々備える。電気錠システムは、メッセージ管理サーバ１と電気錠４とを含む。メッセージ管理サーバ１は、インターネット２に接続されてメッセージ伝達、プッシュのプラットフォームとする。電気錠４は、第２の無線センシングユニット（図示略）を含み、近接するモバイルデバイスの第１の無線センシングユニットをセンシング検証し、検証に成功した時解錠するために用いられる。近接するモバイルデバイス３は、インターネット２を経由して入室メッセージをメッセージ管理サーバ１に伝送し、メッセージ管理サーバ１が入室メッセージを受信した後、インターネット２を経由してメッセージを電気錠４に近接センシングするモバイルデバイス３を除いた別の１台以上のモバイルデバイス３にプッシュ通知する。
【００１９】
メッセージ管理サーバ１は、メッセージ伝達、プッシュのプラットフォームとする以外に、メッセージ保存ツールとすることもできる。つまりメッセージ管理サーバ１は入室メッセージを受信し、この入室メッセージを保存し、且つインターネット２を経由してメッセージを電気錠４に近接センシングするモバイルデバイス３を除いた別の１台以上のモバイルデバイス３にプッシュ通知する。保存される入室メッセージは、後日の調査や取寄せ用とすることができる。ただし、本発明はこれに限るものではなく、入室メッセージを前記モバイルデバイス３内に保存させることもできる。
【００２０】
上記電気錠システムの通知メッセージは、近接センシングして解錠するモバイルデバイス３の番号と解錠時刻とを含み、また例えばモバイルデバイス３の名称、コード等その他の情報も含むことができるが、本発明は上記の例に限るものではない。
【００２１】
上記第１の無線センシングユニット及び第２の無線センシングユニットの二者の近接センシングによる解錠は、近距離無線通信技術（ＮＦＣ、Ｎｅａｒ  Ｆｉｅｌｄ  Ｃｏｍｍｕｎｉｃａｔｉｏｎ）とすることができるが、本発明はこれに限るものではない。近距離無線通信技術による解錠は、本発明の一実施例の態様のみであり、上記と同じ解錠概念のいかなる技術も本発明で保護しようとする範囲に属する。
【００２２】
一実施例において、各モバイルデバイス３は管理アプリケーションプログラムを保存並びに実行し、第１の無線センシングユニットを経由して登録メッセージを第２の無線センシングユニットに伝送し、電気錠４が登録メッセージを保存することで検証時の照合に供する。つまり、モバイルデバイス３を電気錠４に近接センシングして解錠する時、電気錠４はこのモバイルデバイス３の登録メッセージを検証して解錠するかどうかの基準とする。
登録メッセージは、少なくともモバイルデバイス３の国際移動体装置識別番号（ＩＭＥＩ）或いは個人識別番号（ＰＩＮ  Ｃｏｄｅ）、又は専属性を有し、モバイルデバイス３の検証に使用されることができるコードを含む。
【００２３】
このほかに、一実施例において、複数のモバイルデバイス３のうちのいずれかが親デバイスとなり、その他のモバイルデバイス３を子デバイスとし、親デバイスが管理アプリケーションプログラムを保存すると共に実行することで、第１の無線センシングユニットを通じて子デバイスの登録メッセージをセンシングして読み取り、またセンシングして読み取った子デバイスとグループを形成する。つまり、複数のモバイルデバイス３は、管理アプリケーションプログラムを介して複数のモバイルデバイス３の間をグループとして設定できる。
同様に、登録メッセージは、少なくとも子デバイスの国際移動体装置識別番号或いは個人識別番号、又は代表性を有し、複数のモバイルデバイス３の間をグループとして設定できるコード、名称を含む。
【００２４】
一実施例において、上記電気錠システムの入室メッセージは、少なくとも１名のプッシュ対象を含み、メッセージ管理サーバ１がプッシュ対象によって通知メッセージを対応する少なくとも１名のプッシュ対象のモバイルデバイス３に送信する。プッシュ対象は、管理アプリケーションプログラムを通じて設定でき、例えば解錠時刻によってプッシュ対象を決定する。或いはプッシュ対象は近接センシングして解錠するモバイルデバイス３によって決定する。
【００２５】
図２を参照する。
図２は、本発明に係る電気錠システムの一実施例の使用の様子を示した模式図である。家庭を例とし、本発明に係る電気錠システムを利用して家族の各モバイルデバイスと電気錠の登録手続を終えると、各家族はモバイルデバイス３で電気錠４を解錠させることができる。父親のモバイルデバイス３を親デバイスとし、他の家族のモバイルデバイス３を子デバイスとし、親デバイスが管理アプリケーションプログラムを実行して家族の子デバイスを読み取ると共にグループデータを生成してグループ設定を完了する。
【００２６】
家族は、モバイルデバイス３で電気錠に近接センシングしてドアを開けた時、自動的に管理アプリケーションプログラムを起動して入室メッセージをインターネット２によってメッセージ管理サーバ１に伝送し、且つ管理アプリケーションプログラムの設定条件に基づき、メッセージ管理サーバ１を通じて通知メッセージを電気錠に近接センシングしていない他のモバイルデバイス３に伝送する。通知メッセージは、電気錠に近接センシングするモバイルデバイス３の番号と名称と解錠時刻とを含むことができる。
【００２７】
上記家庭をグループとし、管理アプリケーションプログラムは解錠対象によってプッシュ対象を入室メッセージ内に設定し、メッセージ管理サーバ１がプッシュ対象によって通知メッセージをこのプッシュ対象に対応するモバイルデバイス３に送信させる。
例えば管理アプリケーションプログラムは、子供を解錠対象としてプッシュ対象となる両親を入室メッセージ内に設定するため、子供が下校し、近接センシングしてドア錠を解錠した時、自動的に管理アプリケーションプログラムを起動して入室メッセージをインターネット２によってメッセージ管理サーバ１に伝送する。メッセージ管理サーバ１は入室メッセージ内のプッシュ対象によって通知メッセージを両親のモバイルデバイス３に伝送し、この時両親がこの通知メッセージを受信すると、子供がすでに安全に帰宅したか、どの時点で帰宅したかを知ることができる。
【００２８】
同様に、管理アプリケーションプログラムは、解錠対象によってプッシュ対象を入室メッセージ内に設定し、メッセージ管理サーバ１がプッシュ対象によって通知メッセージをこのプッシュ対象に対応するモバイルデバイス３に送信させる。
例えば、管理アプリケーションプログラムは、警備員の解錠対象としてプッシュ対象の夫を入室メッセージ内に設定することで、警備員が勤務により現場にて警備巡回してドア錠を解錠しようとした際、近接センシングしてドア錠を解錠した時、自動的に管理アプリケーションプログラムを起動して入室メッセージをインターネット２によってメッセージ管理サーバ１に伝送し、メッセージ管理サーバ１が入室メッセージ内のプッシュ対象によって通知メッセージを夫のモバイルデバイス３に伝送し、この時夫がこの通知メッセージを受信すると、直ちに家の警備に異常事態が発生したことを知ることができる。
【００２９】
或いは管理アプリケーションプログラムは、解錠時刻によってプッシュ対象を入室メッセージ内に設定する。
例えば管理アプリケーションプログラムは深夜１２：００後の解錠者のプッシュ対象を妻とすることで、夫が残業又は接待により深夜１２：００後に解錠し、近接センシングしてドア錠を解錠した時、自動的に管理アプリケーションプログラムを起動して入室メッセージをインターネット２によってメッセージ管理サーバ１に伝送し、メッセージ管理サーバ１が入室メッセージ内のプッシュ対象の通知メッセージを妻のモバイルデバイス３に伝送し、この時妻がこの通知メッセージを受信すると、夫の確実な帰宅時刻を知ることができる。
【００３０】
上記実施例から分かるように、複数のモバイルデバイス３は互いにグループ或いは他の専属グループとして設定できるが、通知メッセージのプッシュ対象は必ずグループ内の全員とすることはない。つまり、管理アプリケーションプログラムを通じてドア錠の解錠対象、ドア錠の解錠時刻等の条件により、グループ内の特定者内からプッシュ対象に設定する。
【００３１】
本発明に係る電気錠システムは、複数のモバイルデバイス３で解錠できる以外に、メッセージ伝達の媒体となるが、本発明はこれに限るものではない。よって電気錠４をメッセージ伝達の媒体とすることもでき、例えば、上記入室メッセージを電気錠４を通じてメッセージ管理サーバ１に伝送した後、引き続きメッセージプッシュのタスクを行うこともできる。このため、前記解錠、メッセージ伝達及びメッセージプッシュのいかなる技術概念も本発明で請求しようとする保護範囲に属する。
【００３２】
上記実施例をとりまとめると、本発明に係る電気錠システムは、解錠時刻、解錠者等を完ぺきに記録できる。次に、解錠しながら必要な人に自動通知でき、必要な人のプッシュは管理アプリケーションプログラムを通じて解錠時刻、解錠対象等の条件によって設定できる。
本発明に係る電気錠システムは、警備情報の把握及び利便性を兼ね備え、プッシュ対象にメッセージ自動通知を通じて迅速に状況を理解させ、初動対応時間を短縮できる。
【００３３】
上述の説明は、単に本発明の最良の実施例を挙げたまでであり、本発明を限定しない。その他本発明の開示する要旨を逸脱することなく完成された同等効果の修飾または置換はいずれも後述の特許請求の範囲に含まれる。
【符号の説明】
【００３４】
１  メッセージ管理サーバ
２  インターネット
３  モバイルデバイス
４  電気錠
【図１】
2016048023.tif 000003
【図２】
2016048023.tif 000004